(57)【要約】      （修正有）【課題】スピーカーのスピーカー線とアース線を一度に挿入し一度の操作でスピーカー線とアース線をリアパネルの左右一対の小筐体状の取付部に取り付けられスピーカー線とアース線を挿入し易く手早く接続して取り付けられるスピーカー線の接続構造を提供する。【解決手段】スピーカー１のスピーカー線２とアース線３をリアパネル４に設けた左右一対の小筐体状の取付部５、６の前部開口５ａ、６ａに差し込み、前部開口内でこれらの線を挟持して取り付け左右一対の小筐体状の取付部の両外側壁５ｂ、６ｂから先端が内部に入り込んだ略ハサミ状の挟持部材７を取り付け、挟持部材の左右の把手部７ａ、７ｂ間に外向きに付勢したバネ８を介在し左右の把手部を締めて小筐体状の各取付部の開口を開き左右の把手部をフリーな状態にして把手部がバネの付勢力で開きそれぞれ先端が近接側に移動しスピーカー線とアース線を押圧した状態で小筐体状の取付部に接続する。【選択図】図１
2005064635.tif 000002
【特許請求の範囲】
【請求項１】
スピーカーのスピーカー線とアース線とをリアパネルに設けられた左右一対の小筐体状の取付部のそれぞれの前部開口に差し込んだ後に、前記前部開口内でこれらの線を挟持して取り付けるようにしたスピーカー線の接続構造において、前記左右一対の小筐体状の取付部の両外側壁からそれぞれ先端が内部に入り込んだ略ハサミ状の挟持部材を取り付け、この略ハサミ状の挟持部材の左右の把手部間には外向きに付勢されたバネが介在されていて、前記左右の把手部を締めたときに、前記小筐体状の各取付部の開口が開かれ、前記左右の把手部をフリーな状態にした際に、前記把手部が前記バネの付勢力で開くとともにそれぞれ先端が近接側に移動して前記スピーカー線とアース線とが押圧された状態で前記小筐体状の取付部に接続されるように構成したことを特徴とするスピーカー線の接続構造。
【請求項２】
スピーカーのスピーカー線とアース線とをリアパネルに設けられた左右一対の小筐体状の取付部のそれぞれの前部開口に差し込んだ後に、前記前部開口内でこれらの線を押圧挟持して取り付けるようにしたスピーカー線の接続構造において、前記左右一対の小筐体状の取付部の外側壁から先端が内部に入り込んだ挟持部材を取り付け、この挟持部材の左右の把手部間には外向きに付勢された弾性体が介在されていて、前記左右の把手部を締めたときに、前記小筐体状の各取付部の開口が開かれ、前記左右の把手部をフリーな状態にした際に、前記把手部が前記弾性体の付勢力で開くとともに先端が近接側に移動して前記スピーカー線とアース線とが押圧挟持された状態で前記小筐体状の取付部に接続されるように構成したことを特徴とするスピーカー線の接続構造。
【請求項３】
前記小筐体状の各取付部内には、前記スピーカー線と前記アース線を強制的に屈曲させて取り付けるための、平面視力略Ｌ字形の受け板が配設されている請求項２に記載のスピーカー線の接続構造。
【発明の詳細な説明】
【技術分野】
【０００１】
本発明は、スピーカーのスピーカ線とアース線をリアパネルに設けられた左右一対の小筐体状の取付部のそれぞれの前部開口に差し込んだ後に、前部開口内でこれらの線を挟持して取り付けるようにしたスピーカー線の接続構造に関するものである。
【背景技術】
【０００２】
従来、この種のスピーカー線の接続構造は、図３に示すように、リアパネル１０１に設けられた左右一対の小筐体状の取付部１０２、１０３のそれぞれの前部開口１０２ａ、１０３ａにスピーカー１０４のスピーカー線１０５とアース線１０６を差し込むときに、この取付部１０２、１０３のそれぞれ左右端部に設けられた摘まみ１０６、１０７をスプリング１０８、１０８の付勢力に抗して一つずつ後側に押して、前部開口１０２ａ、１０３ａの開口度合いを拡げてから、前部開口１０２ａ、１０３ａにスピーカー線１０５とアース線１０６を１本ずつ差し込んだ後に、この摘まみ１０３、１０７を一つずつ離すと、摘まみがスプリング１０８、１０８の付勢力で前側に移動して前部開口１０２ａ、１０３ａの開口度合いを狭めてこれらのスピーカー線１０５とアース線１０６を１本ずつ挟持して取り付けるようにしていた。
ところが、摘まみ１０６、１０７は左右一対設けられているので、これらの摘まみ１０６、１０７を一つずつ押して前部開口１０２ａ、１０３ａの度合いを一つずつ拡げて、スピーカー線１０５とアース線１０６を１本ずつ挿入しなくてはならいので、手間を要するという問題があった。
【０００３】
第１の従来技術を図４、図５（ａ）（ｂ）に示す。２チャンネル以上のスピーカ用プラグＰＬの＋、−端子に夫々に接続される複数の＋、−端子であってオーディオ、ビデオ機器の回路に接続される複数の端子２０２ａ、２０２ｂを具備した多チャンネルスピーカ用ターミナルＳＴにおいて、スピーカ用プラグＰＬが挿込まれる側を、各チャンネルごとに異なる色に着色して色分けしたものである。（例えば、特許文献１参照）。
ところが、これにおいては、図５（ｂ）に示すように、ケーブル用押え部材２０９の押圧部２０９ａ、２０９ｂと接続端子６ａ、６ｂとが接した状態でケーブル２０８の線２０８ａ、２０８ｂを挿入しにくいという問題があった。
【０００４】
【特許文献１】特開２００３−１０９７０６号公報
【発明の開示】
【発明が解決しようとする課題】
【０００５】
本発明は、上記従来の問題を解消し、スピーカーのスピーカー線とアース線を一度に挿入して一度の操作でこれらスピーカー線とアース線をリアパネルの左右一対の小筐体状の取付部に取り付けることができ、しかも、これらスピーカー線とアース線を挿入し易く、手早く接続して取り付けることができるスピーカー線の接続構造を提供することを目的としている。
【課題を解決するための手段】
【０００６】
本発明は、上記課題を解決するために提案されたものであって、請求項１に記載の発明は、スピーカーのスピーカー線とアース線とをリアパネルに設けられた左右一対の小筐体状の取付部のそれぞれの前部開口に差し込んだ後に、前記前部開口内でこれらの線を挟持して取り付けるようにしたスピーカー線の接続構造において、前記左右一対の小筐体状の取付部の両外側壁からそれぞれ先端が内部に入り込んだ略ハサミ状の挟持部材を取り付け、この略ハサミ状の挟持部材の左右の把手部間には外向きに付勢されたバネが介在されていて、前記左右の把手部を締めたときに、前記小筐体状の各取付部の開口が開かれ、前記左右の把手部をフリーな状態にした際に、前記把手部が前記バネの付勢力で開くとともにそれぞれ先端が近接側に移動して前記スピーカー線とアース線とが押圧された状態で前記小筐体状の取付部に接続されるように構成したことを特徴としている。
【０００７】
請求項２に記載の発明は、スピーカーのスピーカー線とアース線とをリアパネルに設けられた左右一対の小筐体状の取付部のそれぞれの前部開口に差し込んだ後に、前記前部開口内でこれらの線を押圧挟持して取り付けるようにしたスピーカー線の接続構造において、前記左右一対の小筐体状の取付部の外側壁から先端が内部に入り込んだ挟持部材を取り付け、この挟持部材の左右の把手部間には外向きに付勢された弾性体が介在されていて、前記左右の把手部を締めたときに、前記小筐体状の各取付部の開口が開かれ、前記左右の把手部をフリーな状態にした際に、前記把手部が前記弾性体の付勢力で開くとともに先端が近接側に移動して前記スピーカー線とアース線とが押圧挟持された状態で前記小筐体状の取付部に接続されるように構成したことを特徴としている。
請求項３に記載の発明は、前記小筐体状の各取付部内には、前記スピーカー線と前記アース線を強制的に屈曲させて取り付けるための、平面視力略Ｌ字形の受け板が配設されている。
【発明の効果】
【０００８】
以上説明したように、請求項１に記載の発明は、スピーカーのスピーカー線とアース線とをリアパネルに設けられた左右一対の小筐体状の取付部のそれぞれの前部開口に差し込んだ後に、前部開口内でこれらの線を挟持して取り付けるようにしたスピーカー線の接続構造において、左右一対の小筐体状の取付部の両外側壁からそれぞれ先端が内部に入り込んだ略ハサミ状の挟持部材を取り付け、この略ハサミ状の挟持部材の左右の把手部間には外向きに付勢されたバネが介在されていて、左右の把手部を締めたときに、小筐体状の各取付部の開口が開かれ、左右の把手部をフリーな状態にした際に、把手部がバネの付勢力で開くとともにそれぞれ先端が近接側に移動してスピーカー線とアース線とが押圧された状態で小筐体状の取付部に接続されるように構成したので、以下に述べる効果を奏する。
【０００９】
即ち、略ハサミ状の挟持部材の把手部を締めて左右一対の小筐体状の取付部の前部開口部を開けるだけで、この取付部の前部開口にスピーカーのスピーカー線とアース線を一度に挿入でき、略ハサミ状の挟持部材の左右の把手部を離すだけの一度の操作でこれらスピーカー線とアース線をリアパネルの左右一対の小筐体状の取付部に取り付けることができ、しかも、これらスピーカー線とアース線を挿入し易く、手早く接続して取り付けることができる。
【００１０】
請求項２に記載の発明は、スピーカーのスピーカー線とアース線とをリアパネルに設けられた左右一対の小筐体状の取付部のそれぞれの前部開口に差し込んだ後に、前部開口内でこれらの線を押圧挟持して取り付けるようにしたスピーカー線の接続構造において、左右一対の小筐体状の取付部の外側壁から先端が内部に入り込んだ挟持部材を取り付け、この挟持部材の左右の把手部間には外向きに付勢された弾性体が介在されていて、左右の把手部を締めたときに、小筐体状の各取付部の開口が開かれ、左右の把手部をフリーな状態にした際に、把手部が弾性体の付勢力で開くとともに先端が近接側に移動してスピーカー線とアース線とが押圧挟持された状態で小筐体状の取付部に接続されるように構成したので、以下に述べる効果を奏する。
【００１１】
即ち、挟持部材の把手部を締めて左右一対の小筐体状の取付部の前部開口部を開けるだけで、この取付部の前部開口にスピーカーのスピーカー線とアース線を一度に挿入でき、挟持部材の左右の把手部を離すだけの一度の操作でこれらスピーカー線とアース線をリアパネルの左右一対の小筐体状の取付部に取り付けることができ、しかも、これらスピーカー線とアース線を挿入し易く、手早く接続して取り付けることができる。
【００１２】
請求項３に記載の発明は、小筐体状の各取付部内には、スピーカー線とアース線を強制的に屈曲させて取り付けるための、平面視力略Ｌ字形の受け板が配設されているので、スピーカー線とアース線を不用意に外れることなく確実に取り付けることができる。
【発明を実施するための最良の形態】
【００１３】
以下、本発明に係るスピーカー線の接続構造の実施の形態について、図を参照しつつ説明する。
図１は本発明の実施形態のスピーカー線の接続構造を示し、（ａ）はそのスピーカー線とアース線を挿入して接続する直前の斜視図、（ｂ）はそのスピーカー線とアース線を挿入し接続して取り付けた状態の斜視図、図２は同構造におけるスピーカー線とアース線をそれぞれ挿入し接続して取り付けるための小筐体状の取付部内の別の構造を示す要部の斜視図である。
【００１４】
この実施形態のスピーカー線の接続構造は、図１（ａ）（ｂ）（ｃ）に示すように、スピーカー１のスピーカー線２とアース線３とをリアパネル４に設けられた左右一対の小筐体状の取付部５、６のそれぞれの前部開口５ａ、６ａに差し込んだ後に、前部開口５ａ、６ａでこれらの線を挟持して取り付けるようにしている。更に、左右一対の小筐体状の取付部５、６の両外側壁５ｂ、６ｂからそれぞれ先端が内部に入り込んだ略ハサミ状の挟持部材７を取り付け、この略ハサミ状の挟持部材７の左右の把手部７ａ、７ｂ間には外向きに付勢されたバネ８が介在されている。
そして、左右の把手部７ａ、７ｂを締めたときに、小筐体状の各取付部５、６の開口５ａ、６ａが開かれ、左右の把手部７ａ、７ｂをフリーな状態にした際に、把手部７ａ、７ｂがバネ８の付勢力で開くとともにそれぞれ先端が近接側に移動してスピーカー線２とアース線３とが押圧された状態で小筐体状の取付部５、６内の接続板９、１０に接続されるようにしている。
【００１５】
したがって、この実施形態によれば、略ハサミ状の挟持部材７の把手部７ａ、７ｂを締めて左右一対の小筐体状の取付部５、６の前部開口部５ａ、６ａを開けるだけで、この取付部５、６の前部開口５ａ、６ａにスピーカー１のスピーカー線２とアース線３を一度に挿入でき、略ハサミ状の挟持部材７の左右の把手部７ａ、７ｂを離すだけの一度の操作でこれらスピーカー線２とアース線３をリアパネル４の左右一対の小筐体状の取付部５、６に取り付けることができ、しかも、これらスピーカー線２とアース線３を挿入し易く、手早く接続して取り付けることができる。
【００１６】
また、図２に示すように、小筐体状の各取付部５、６内に、スピーカー線２とアース線３を強制的に屈曲させて取り付けるための平面視力略Ｌ字形の受け板１１を配設し、略ハサミ状の挟持部材７の先端の押えブロック部７ｃを押し当てるようにすることが好ましい。
このようにすることによって、スピーカー線２とアース線３を不用意に外れることなく確実に取り付けることができる。
【図面の簡単な説明】
【００１７】
【図１】本発明の実施形態のスピーカー線の接続構造を示し、（ａ）はそのスピーカー線とアース線を挿入して接続する直前の斜視図、（ｂ）はそのスピーカー線とアース線を挿入し接続して取り付けた状態の斜視図である。
【図２】同構造におけるスピーカー線とアース線をそれぞれ挿入し接続して取り付けるための小筐体状の取付部内の別の構造を示す要部の斜視図である。
【図３】従来のスピーカー線の接続構造を示す斜視図である。
【図４】従来の多チャンネルスピーカ用ターミナルを示す斜視図である。
【図５】従来のスピーカケーブル用プラグを示し、（ａ）はそのケーブルを接続する前の斜視図、（ｂ）は（ａ）のプラグの側断面図である。
【符号の説明】
【００１８】
１            スピーカー
２            スピーカー線
３            アース線
４            リアパネル
５            取付部
５ａ          前部開口
５ｂ          外側壁
６            取付部
６ａ          前部開口
６ｂ          外側壁
７            ハサミ状の挟持部材
７ａ、７ｂ    把手部
８            バネ
９、１０      接続板
１１          受け板
【図１】
2005064635.tif 000003
【図２】
2005064635.tif 000004
【図３】
2005064635.tif 000005
【図４】
2005064635.tif 000006
【図５】
2005064635.tif 000007